(57)【要約】【課題】一眼レフカメラに於いて接眼部のスペースに、新たなスペースを追加することなくアイピースシャッタを構成することができるカメラを提供することである。【解決手段】撮影レンズ１１からの光束は、クイックリターンミラー３１でボディユニット３０の横方向に反射され、一部を除いてハーフミラー７１、スクリーン７２を介して第２ミラー７３でボディユニット３０の上方向へ反射される。第２ミラー７３で反射された光束は、第３ミラー７４でクイックリターンミラー３１で反射された光束と反対方向に反射され、更に第４ミラーによってボディユニット３０後方のアイピース３３側に反射される。この第４ミラー７５は、撮影時は回転移動されてアイピース３３と相対する位置に配置される。【選択図】      図３
2006038946.tif 000002
【特許請求の範囲】
【請求項１】
撮影光学系からの光束を所定の方向へ向けて反射する第１の反射面と、
上記第１の反射面の反射光軸上に配され、上記第１の反射面からの反射光束を所定の方向へ反射する第２の反射面と、
上記第２の反射面の反射光軸上に配され、上記第２の反射面からの反射光束を所定の方向へ反射する第３の反射面と、
上記第３の反射面の反射光軸上に配され、上記第３の反射面からの反射光束を所定の方向へ反射する第４の反射面と、
上記第１の反射面の反射光軸上であって、上記撮像光学系の結像位置に配されるスクリーンと、
上記第４の反射面の反射光軸上に配され、上記撮影光学系により上記スクリーン上に結像された像を観察するための接眼光学系から成るファインダと、
を有するカメラに於いて、
上記第１の反射面の反射方向を、ファインダ視野の長手方向とし、
上記第２の反射面、上記第３の反射面及び上記第４の反射面の何れか１つをファインダ観察位置とファインダ光路を遮断する位置に可動としたことを特徴とするカメラ。
【請求項２】
上記第４の反射面を可動とし、撮影光軸と略直交する軸周りに回動することを特徴とする請求項１に記載のカメラ。
【請求項３】
上記第２若しくは第３の反射面を可動とし、上記接眼光学系の光軸と略平行な軸周りに回動することを特徴とする請求項１に記載のカメラ。
【請求項４】
撮像光学系から入射する光束を、撮影視野範囲の長手方向である第１の方向に反射する第１の反射面と、
上記第１の反射面の反射光軸上に配され、上記第１の反射面からの反射光束を、上記第１の方向と略直交する方向である第２の方向に反射する第２の反射面と、
上記第２の反射面の反射光軸上に配され、上記第２の反射面からの反射光束を、上記第１の方向と略平行であって、上記第１の方向とその向きが反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第４の反射面の反射光軸上に配され、上記撮像光学系により結像された像を観察するための接眼光学系と、
を備えたカメラに於いて、
上記第１の反射面の反射方向を、ファインダ視野の長手方向とし、
上記第２の反射面、上記第３の反射面及び上記第４の反射面の何れか１つをファインダ観察位置とファインダ光路を遮断する位置に可動としたことを特徴とするカメラ。
【請求項５】
上記第４の反射面は、撮影光軸と略直交する軸周りに回動可能であることを特徴とする請求項４に記載のカメラ。
【請求項６】
上記第２の反射面及び上記第３の反射面の少なくとも一方は、上記接眼光学系の光軸と略平行な軸周りに回動可能であることを特徴とする請求項４に記載のカメラ。
【請求項７】
被写体の光学像を結像する撮像光学系と、
上記光学像を電気信号に変換する光電変換素子と、
上記光電変換素子と上記撮像光学系との間に配され、該撮像光学系からの光束を撮像光学系の光軸と略直角で、且つカメラの長手方向に沿う方向に反射する第１の反射面と、
上記第１の反射面の反射光軸上に配置され、上記撮像光学系の結像位置に配置されたスクリーンと、
上記第１の反射面の反射光軸上であって、上記スクリーンを挟んで、上記第１の反射面と反対側に配置され、上記第１の反射面からの反射光束をカメラの長手方向と略直交する方向に反射する第２の反射面と、
上記第２の反射面からの反射光軸上に配置され、上記第２の反射面からの反射光束を上記カメラの長手方向と沿う方向であって、上記第１の反射面による反射方向と相反する方向に向けて反射する第３の反射面と、
上記第３の反射面からの反射光軸上に配置され、上記第３の反射面からの反射光束をカメラの後方に向けて反射する第４の反射面と、
上記第４の反射面からの反射光軸上に配置され、上記スクリーン上の像を観察するための接眼光学系と、
を具備し、
上記第２の反射面、上記第３の反射面及び上記第４の反射面の少なくとも１つをファインダ観察位置とファインダ光路を遮断する位置に可動としたことを特徴とするカメラ。
【請求項８】
撮像光学系から入射する光束を、撮影視野範囲の長手方向である第１の方向に反射する第１の反射面と、
上記第１の反射面の反射光軸上に配され、上記第１の反射面からの反射光束を、上記第１の方向と略直交する第２の方向に反射する第２の反射面と、
上記第２の反射面の反射光軸上に配され、上記第２の反射面からの反射光束を、上記第１の方向と反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第１の反射面の反射光軸上であって、上記撮像光学系の結像位置に配されるスクリーンと、
上記第４の反射面の反射光軸上に配され、上記撮像光学系により上記スクリーン上に結像された像を観察するための接眼光学系と、
を具備し、
上記第２の反射面、上記第３の反射面及び上記第４の反射面の少なくとも１つをファインダ観察位置とファインダ光路を遮断する位置に可動としたことを特徴とするカメラ。
【請求項９】
上記第２の反射面、上記第３の反射面及び上記第４の反射面の少なくとも１つは、上記ファインダ観察位置とファインダ光路を遮断する位置とに回動可能に設けられることを特徴とする請求項８に記載のカメラ。
【請求項１０】
被写体の光学像を結像する撮像光学系と、
上記光学像を電気信号に変換する光電変換素子と、
上記光電変換素子と上記撮像光学系との間に配され、該撮像光学系から入射する光束を撮像光学系の光軸と略直角で、撮影視野範囲の長手方向である第１の方向に反射する第１の反射面と、
上記第１の反射面の反射光軸上に配置され、上記撮像光学系の結像位置に配置されたスクリーンと、
上記第１の反射面の反射光軸上であって、上記スクリーンを挟んで、上記第１の反射面の反対側に配置され、上記第１の反射面からの反射光束を、上記第１の方向と略直交する第２の方向に反射する第２の反射面と、
上記第２の反射面の反射光軸上に配され、上記第２の反射面からの反射光束を、上記第１の方向と反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第４の反射面からの反射光軸上に配置され、上記スクリーン上の像を観察するための接眼光学系と、
を具備し、
上記第２の反射面、上記第３の反射面及び上記第４の反射面の少なくとも１つをファインダ観察位置とファインダ光路を遮断する位置に可動としたことを特徴とするカメラ。
【請求項１１】
上記第２の反射面、上記第３の反射面及び上記第４の反射面の少なくとも１つは、上記ファインダ観察位置とファインダ光路を遮断する位置とに回動可能に設けられることを特徴とする請求項１０に記載のカメラ。
【発明の詳細な説明】
【技術分野】
【０００１】
本発明はカメラに係り、特にカメラシステムの中のＴＴＬ式のファインダ機構の配置に関するものである。
【背景技術】
【０００２】
従来、ＴＴＬ式のファインダに関する技術としては、ダハブリズムを用いた一眼レフレックス（以下、単に一眼レフと略記する）式のものが一般的である。この一眼レフ式のカメラは、上下に回転駆動されるクイックリターンミラーと、クイックリターンミラーの上方に配置されたスクリーンと、スクリーンの上方に配置されたダハプリズムと、ダハプリズムの後方に配置されたアイピースとから構成されている。
【０００３】
そして、アイピースの部分には、シャッタの動作時に、アイピースから光が漏れ込んで、測光を妨げることがないように、アイピースシャッタが設けられているものが知られている。
【０００４】
従来の一眼レフカメラのファィンダに内蔵されたアイピースシャッタとしては、例えば、接眼レンズの後方に配置された、専用のシャッタ部材を接眼光路に挿脱させる技術が知られている（例えば、特許文献１参照）。
【特許文献１】特開２０００−２２１５６７号公報
【発明の開示】
【発明が解決しようとする課題】
【０００５】
しかしながら、上記特許文献１に記載されたような構成にすると、挿脱機構に必要なスペースを要する分だけ、接眼部が大きくなってしまうという課題を有していた。
【０００６】
加えて、カメラの光軸方向の寸法がかさんでしまい、アイポイントが減ってしまうという課題も有するものであった。
【０００７】
したがって本発明の目的は、一眼レフカメラに於いて接眼部のスペースに、新たなスペースを追加することなくアイピースシャッタを構成することができるカメラを提供することである。
【課題を解決するための手段】
【０００８】
すなわち請求項１に記載の発明は、撮影光学系からの光束を所定の方向へ向けて反射する第１の反射面と、上記第１の反射面の反射光軸上に配され、上記第１の反射面からの反射光束を所定の方向へ反射する第２の反射面と、上記第２の反射面の反射光軸上に配され、上記第２の反射面からの反射光束を所定の方向へ反射する第３の反射面と、上記第３の反射面の反射光軸上に配され、上記第３の反射面からの反射光束を所定の方向へ反射する第４の反射面と、上記第１の反射面の反射光軸上であって、上記撮像光学系の結像位置に配されるスクリーンと、上記第４の反射面の反射光軸上に配され、上記撮影光学系により上記スクリーン上に結像された像を観察するための接眼光学系から成るファインダと、を有するカメラに於いて、上記第１の反射面の反射方向を、ファインダ視野の長手方向とし、上記第２の反射面、上記第３の反射面及び上記第４の反射面の何れか１つをファインダ観察位置とファインダ光路を遮断する位置に可動としたことを特徴とする。
【０００９】
請求項２に記載の発明は、請求項１に記載の発明に於いて、上記第４の反射面を可動とし、撮影光軸と略直交する軸周りに回動することを特徴とする。
【００１０】
請求項３に記載の発明は、請求項１に記載の発明に於いて、上記第２若しくは第３の反射面を可動とし、上記接眼光学系の光軸と略平行な軸周りに回動することを特徴とする。
【００１１】
請求項４に記載の発明は、撮像光学系から入射する光束を、撮影視野範囲の長手方向である第１の方向に反射する第１の反射面と、上記第１の反射面の反射光軸上に配され、上記第１の反射面からの反射光束を、上記第１の方向と略直交する方向である第２の方向に反射する第２の反射面と、上記第２の反射面の反射光軸上に配され、上記第２の反射面からの反射光束を、上記第１の方向と略平行であって、上記第１の方向とその向きが反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第４の反射面の反射光軸上に配され、上記撮像光学系により結像された像を観察するための接眼光学系と、を備えたカメラに於いて、上記第１の反射面の反射方向を、ファインダ視野の長手方向とし、上記第２の反射面、上記第３の反射面及び上記第４の反射面の何れか１つをファインダ観察位置とファインダ光路を遮断する位置に可動としたことを特徴とする。
【００１２】
請求項５に記載の発明は、請求項４に記載の発明路に於いて、上記第４の反射面は、撮影光軸と略直交する軸周りに回動可能であることを特徴とする。
【００１３】
請求項６に記載の発明は、請求項４に記載の発明に於いて、上記第２の反射面及び上記第３の反射面の少なくとも一方は、上記接眼光学系の光軸と略平行な軸周りに回動可能であることを特徴とする。
【００１４】
請求項７に記載の発明は、被写体の光学像を結像する撮像光学系と、上記光学像を電気信号に変換する光電変換素子と、上記光電変換素子と上記撮像光学系との間に配され、該撮像光学系からの光束を撮像光学系の光軸と略直角で、且つカメラの長手方向に沿う方向に反射する第１の反射面と、上記第１の反射面の反射光軸上に配置され、上記撮像光学系の結像位置に配置されたスクリーンと、上記第１の反射面の反射光軸上であって、上記スクリーンを挟んで、上記第１の反射面と反対側に配置され、上記第１の反射面からの反射光束をカメラの長手方向と略直交する方向に反射する第２の反射面と、上記第２の反射面からの反射光軸上に配置され、上記第２の反射面からの反射光束を上記カメラの長手方向と沿う方向であって、上記第１の反射面による反射方向と相反する方向に向けて反射する第３の反射面と、上記第３の反射面からの反射光軸上に配置され、上記第３の反射面からの反射光束をカメラの後方に向けて反射する第４の反射面と、上記第４の反射面からの反射光軸上に配置され、上記スクリーン上の像を観察するための接眼光学系と、を具備し、上記第２の反射面、上記第３の反射面及び上記第４の反射面の少なくとも１つをファインダ観察位置とファインダ光路を遮断する位置に可動としたことを特徴とする。
【００１５】
請求項８に記載の発明は、撮像光学系から入射する光束を、撮影視野範囲の長手方向である第１の方向に反射する第１の反射面と、上記第１の反射面の反射光軸上に配され、上記第１の反射面からの反射光束を、上記第１の方向と略直交する第２の方向に反射する第２の反射面と、上記第２の反射面の反射光軸上に配され、上記第２の反射面からの反射光束を、上記第１の方向と反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第１の反射面の反射光軸上であって、上記撮像光学系の結像位置に配されるスクリーンと、上記第４の反射面の反射光軸上に配され、上記撮像光学系により上記スクリーン上に結像された像を観察するための接眼光学系と、を具備し、上記第２の反射面、上記第３の反射面及び上記第４の反射面の少なくとも１つをファインダ観察位置とファインダ光路を遮断する位置に可動としたことを特徴とする。
【００１６】
請求項９に記載の発明は、請求項８に記載の発明に於いて、上記第２の反射面、上記第３の反射面及び上記第４の反射面の少なくとも１つは、上記ファインダ観察位置とファインダ光路を遮断する位置とに回動可能に設けられることを特徴とする。
【００１７】
請求項１０に記載の発明は、被写体の光学像を結像する撮像光学系と、上記光学像を電気信号に変換する光電変換素子と、上記光電変換素子と上記撮像光学系との間に配され、該撮像光学系から入射する光束を撮像光学系の光軸と略直角で、撮影視野範囲の長手方向である第１の方向に反射する第１の反射面と、上記第１の反射面の反射光軸上に配置され、上記撮像光学系の結像位置に配置されたスクリーンと、上記第１の反射面の反射光軸上であって、上記スクリーンを挟んで、上記第１の反射面の反対側に配置され、上記第１の反射面からの反射光束を、上記第１の方向と略直交する第２の方向に反射する第２の反射面と、上記第２の反射面の反射光軸上に配され、上記第２の反射面からの反射光束を、上記第１の方向と反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第４の反射面からの反射光軸上に配置され、上記スクリーン上の像を観察するための接眼光学系と、を具備し、上記第２の反射面、上記第３の反射面及び上記第４の反射面の少なくとも１つをファインダ観察位置とファインダ光路を遮断する位置に可動としたことを特徴とする。
【００１８】
請求項１１に記載の発明は、請求項１０に記載の発明に於いて、上記第２の反射面、上記第３の反射面及び上記第４の反射面の少なくとも１つは、上記ファインダ観察位置とファインダ光路を遮断する位置とに回動可能に設けられることを特徴とする。
【発明の効果】
【００１９】
本発明によれば、一眼レフカメラに於いて接眼部のスペースに、新たなスペースを追加することなくアイピースシャッタを構成することができるカメラを提供することができる。
【発明を実施するための最良の形態】
【００２０】
以下、図面を参照して、本発明の実施形態を説明する。
【００２１】
（第１の実施形態）
図１は、本発明の第１の実施形態に係るカメラのシステム構成を示すブロック図である。
【００２２】
図１に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００２３】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００２４】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００２５】
一方、ボディユニット３０は、以下のように構成されている。
【００２６】
レンズユニット１０内の撮影レンズ１１、絞り１２を介して入射される図示されない被写体からの光束は、第１ミラーとしてのクイックリターンミラー３１で反射され、第２ミラー７３、第３ミラー７４、第４ミラー７５等を含むファィンダ光学系（図２、図３参照、詳細は後述する）を介して、接眼光学系の接眼レンズ（アイピース）３３に至る。また、クイックリターンミラー３１で反射された被写体光束の一部は、後述するハーフミラー７１で更に反射されて自動測距を行うための焦点位置検出手段であるＡＦセンサユニット３５に導かれる。
【００２７】
上記クイックリターンミラー３１の後方には、フォーカルプレーン式のシャッタ３７と、ＣＣＤユニット４０を保護する透明な光学ローパスフィルタ３８と、光学系を通過した被写体像を光電変換するための撮像光学系の光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００２８】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００２９】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。
【００３０】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００３１】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ装置６２等と共に、このボディユニット５０内の各部を制御するためのボディ制御用マイクロコンピュータ（以下、Ｂμｃｏｍと略記する）５０に接続されている。
【００３２】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００３３】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００３４】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００３５】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００３６】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００３７】
ストロボ装置６２は、図示されない閃光発光管を有して被写体に閃光を照射する閃光発光装置である。そして、ストロボ制御回路６１にて、ストロボ装置６２の閃光発光管の発光に必要な電荷の充電制御や、ストロボ装置６２の発光制御が行われる。このストロボ装置６２の詳細は後述する。
【００３８】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００３９】
更に、電源回路６５は、電源としての電池６６の電圧を、当該カメラシステムの各回路ユニットが必要とする電圧に変換して供給するために設けられている。
【００４０】
次に、上述したファインダ光学系について、図２及び図３を参照して説明する。
【００４１】
図２及び図３は、第１の実施形態に於いてファインダ観察状態であってファインダ光学系及び閃光発光装置の主要構成部材をカメラボディに組み込んだ状態の配置を示したもので、図２は撮影レンズ側から見た正面図、図３はカメラボディの上面側より見た図である。
【００４２】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００４３】
ファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７３と、第３ミラー７４と、第４ミラー７５と、ハーフミラー７１と、スクリーン７２とを有して構成される。
【００４４】
上記撮影レンズ１１を通過した被写体からの光束は、図示矢印Ａ方向に回動可能な第１の反射面としてのクイックリターンミラー３１に至る。このクイックリターンミラー３１は、被写体観察時は図２及び図３に実線で示されるように、撮影レンズ１１とＣＣＤユニット４０との間であって、撮影レンズ１１の撮影光路内に配置される。そして、撮像時は、クイックリターンミラー３１はミラー駆動機構５４によって、図３に二点鎖線で示される位置に移動、すなわち撮影光路より退避されて、被写体からの光束が、シャッタ３７、光学ローパスフィルタ３８を介してＣＣＤユニット４０に導かれるようになっている。尚、３９はＣＣＤユニット４０と光学ローパスフィルタ３８との間を封止するためのシール部材である。
【００４５】
被写体観察時、第１の反射部材であるクイックリターンミラー（第１の反射面）３１にて、撮影レンズ１０から入射した被写体光束は、撮影レンズ１０の光軸に対し略９０°の角度であって、ボディユニット３０の長手方向に沿う方向に反射される。つまり、図２に於いて右方向に反射される。
【００４６】
クイックリターンミラー３１の第１反射面にて反射された光束は、該第１反射面の反射光軸上であって、この反射光軸に対し所定の角度だけ傾いて配置されるハーフミラー７１に入射する。そして、クイックリターンミラー３１からの反射光束の一部は、このハーフミラー７１により上記第１反射面の反射光軸とは異なる方向であって、上記第１反射面側に向けて反射される。つまり、クイックリターンミラー３１からの反射光束の一部は、図２に於いて、ボディユニット３０の左斜め下方向に向けてハーフミラー７１により反射される。一方、上記クイックリターンミラー３１からの反射光束の他の一部は、ハーフミラー７１を透過し、後述するスクリーン７２を経て、第２ミラー７３に入射する。
【００４７】
第２の反射部材（第２の反射面）である上記第２ミラー７３は、上記クイックリターンミラー３１からの反射光軸上であって、その反射面である第２の反射面が上記第１の反射面からの反射光軸に対し、所定の角度だけ傾いて配置されている。そして、第２ミラー７３に入射した上記クイックリターンミラー３１からの反射光束は、上記クイックリターンミラー３１からの反射光軸に対し略９０°の角度であって、上記ハーフミラー７１による反射方向とは、上記クイックリターンミラー３１からの反射光軸を挟んで反対側に向けて反射される。つまり、クリックリターンミラー３１の第１反射面からの反射光束は、第２ミラー７３の第２の反射面にて、図２に於いてボディユニット３０の上方に向けて反射される。
【００４８】
上記第２ミラー７３の第２の反射面で反射された光束は、第２の反射面の反射光軸上であって、その反射面である第３の反射面が、上記第２の反射面の反射光軸に対し所定の角度だけ傾いて配置される第３ミラー７４に入射する。
【００４９】
第３の反射部材（第３の反射面）である第３ミラー７４に入射した上記第２ミラー７３からの反射光束は、第３ミラー７４の第３の反射面にて、上記第２の反射面からの反射光軸に対し略９０°の角度であって、上記クイックリターンミラー３１の第１の反射面による反射方向と相反する方向に反射される。つまり、第２ミラー７３の第２の反射面からの反射光束は、第３ミラー７４の第３の反射面にて、図２に於いてボディユニット３０の左方向に向けて反射する。換言すれば、クイックリターンミラー３１の第１の反射面にて反射された光束は、第２、第３ミラー７３、７４によって折り返すように導かれ、第３ミラー７４の第３の反射面の反射光軸は、上記クイックリターンミラー３１の第１の反射面の反射光軸と略平行となって第４ミラー７５に向かう。
【００５０】
上記第３ミラー７４の第３の反射面で反射された光束は、該第３の反射面の反射光軸上であって、その反射面である第４の反射部材（第４の反射面）が上記第３ミラー７４の第３の反射面の反射光軸に対し所定の角度だけ傾いて配置される第４ミラー７５に入射する。この第４ミラー７５は、図３に於いて図示矢印Ｂ方向に回動可能な第４の反射面であり、被写体観察時は実線で示される位置に移動される。この第４ミラー７５の駆動機構については後述する。
【００５１】
そして、第４の反射面である第４ミラー７５に入射した上記第３ミラー７４からの反射光束は、第４ミラー７５の第４の反射面にて、上記第３ミラー７４からの反射光軸に対し略９０°の角度に反射される。つまり、第３ミラー７４の第３反射面からの反射光束は、第４の反射面の反射光軸上に配置されたアイピース３３に入射する。
【００５２】
このように、撮影レンズ１１からの被写体光束は、上述した第１乃至第４の反射面によって、その像が正立正像となるように反転されてアイピース３３に導かれる。これにより、アイピース３３を通して、撮影者の眼でスクリーン７２上に結像した被写体像が観察可能となる。
【００５３】
一方、撮影時は、クイックリターンミラー３１はミラー駆動機構５４によって、図３に二点鎖線で示される位置に移動、すなわち撮影光路より退避される。これによって、被写体からの光束は、シャッタ３７、光学ローパスフィルタ３８を介してＣＣＤユニット４０に導かれる。
【００５４】
ここで、図４乃至図６を参照して、上述した第４ミラー７５の駆動機構について説明する。
【００５５】
図４及び図５は第４ミラー７５の駆動機構を示す斜視図で、図４は被写体観察時のアイピースシャッタを開いた状態を示した図、図５はアイピースシャッタを閉じた状態を示した図である。また、図６は第１の実施形態に於けるアイピースシャッタの操作レバーを示した図である。
【００５６】
第４ミラー７５は、アイピース３３が取り付けられているアイピース枠８１の近傍の回転軸８２に回動可能（図３に於いて矢印Ｂ方向）に取り付けられている。この回転軸８２にはバネ（トグルバネ）８３が巻回されており、その一端部がアイピース枠８１上の所定の位置に設けられたバネ止めピン８１に当てつけられ、他端部が回転軸８２に設けられたバネ止めピン８６に引っ掛けられている。
【００５７】
上記バネ８３は、開く方向に付勢されているもので、通常は、図４に示されるように、第４ミラー７５がストッパ８７に当てついた状態となる。このとき、第２ミラー７３、第３ミラー７４から導かれた光束は、第４ミラー７５で反射されてアイピース３３に至る。この状態が被写体の観察時である。
【００５８】
尚、上記ストッパ８７は、クイックリターンミラー３１等が収納されている、図示されないミラーボックスの上部等に固設されている。
【００５９】
また、回転軸８２の上面に設けられている突起部８８は、図示されない係合部材を介して、図６に示される操作レバー９０と連動している。すなわち、この操作レバー９０が図示矢印Ｃ方向に操作されることにより、その操作方向に連動して回転軸８２が回転し、図３に示される矢印Ｂ方向に第４ミラー７５が回転する。図６に於いては、操作レバー９０は、実線で示される位置がアイピースシャッタの開いた状態、二点鎖線で示される位置が閉じた状態である。
【００６０】
その結果、図５に示されるように、第４ミラー７５がアイピース枠８１に当接した状態が、撮影時の状態となる。このとき、アイピース３３からの光束は、第４ミラー７５によってアイピース枠８１内で遮られることにより、カメラボディ３０に入射することがない。
【００６１】
尚、操作レバー９０は、周知のロック機構が設けられるものであってもよいし、また掛止部が設けられるものであってもよい。そして、この操作レバー９０と回転軸８２とは、例えばバネ係合されたオーバチャージ機構を有して構成されたものであってもよいし、或いは直結された構成であってもよい。
【００６２】
尚、本実施形態では、図２及び図３に示されるように、クイックリターンミラー３１、第２ミラー７３、第３ミラー７４及び第４ミラー７５は、入射光束に対して略９０°の角度で反射するように配置しているが、これに限られるものではない。
【００６３】
光路分割素子を構成する上記ハーフミラー７１は、上記クイックリターンミラー３１の第１の反射面の反射光軸上であって、上記スクリーン７２よりも第１の反射面側、すなわちクイックリターンミラー３１側に配置される。そして、ハーフミラー７１はＡＦ用の第１の反射面を有しており、ここで透過されずに反射された一部の光束は、ＡＦセンサユニット３５へ導かれる。このＡＦセンサユニット３５内の図示されないＡＦセンサからの出力が、ＡＦセンサ駆動回路５５を介してＢμｃｏｍ５０へ送信されて、周知の測距処理が行われる。
【００６４】
上記スクリーン７２は、このファインダ光学系に入射された光束を光学像として結像させるために、該光束を拡散させる拡散面を有するもので、ＣＣＤユニット４０の撮像面上と光学的に等価な位置に配置されている。撮影者は、アイピース３３からこのスクリーン７２上に結像された像を見て、撮影画面を確認することができる。
【００６５】
また、上述した第２ミラー７３の第２の反射面で反射された光束は測光センサ５２に至り、これにより、測光センサ５２にて被写体の明るさが測定される。
【００６６】
次に、このように構成されたカメラシステムの各部の動作について説明する。
【００６７】
先ず、画像処理コントローラ４６により、Ｂμｃｏｍ５０の指令に従ってＣＣＤインターフェース回路４１が制御されて、ＣＣＤユニット４０から画像データが取り込まれる。この画像データは画像処理コントローラ４６でビデオ信号に変換され、液晶モニタ４５にて出力表示される。撮影者は、この液晶モニタ４５の表示画像から、撮影した画像イメージを確認することができる。
【００６８】
また、上記画像データは、一時保管用メモリであるＳＤＲＡＭ４２に取り込まれる。このＳＤＲＡＭ４２は、画像データが変換される際のワークエリア等に使用される。また、この画像データは、ＪＰＥＧデータに変換された後には、記録メディア４４に保管されるように設定されている。
【００６９】
ミラー駆動機構５４は、上述したように、クイックリターンミラー３１を撮像時の退避位置と観察時の観察位置へ駆動するための機構である。ミラー駆動機構５４によってクイックリターンミラー３１が観察位置にあるとき、撮影レンズ１１からの光束は、ＡＦセンサユニット３５側と第２乃至第４ミラー７３〜７５側へと分割されて導かれる。
【００７０】
ＡＦセンサユニット３５内のＡＦセンサからの出力は、ＡＦセンサ駆動回路５５を介してＢμｃｏｍ５０へ送信されて、周知の測距処理が行われる。更に、スクリーン７２の結像光束の一部は第２ミラー７３で反射されて測光センサ５２へ導かれる。ここで検知された光量に基づいて、測光回路５２にて周知の測光処理が行われる。
【００７１】
シャッタ駆動制御回路５７では、Ｂμｃｏｍ５０からシャッタを駆動制御するための信号が受取られると、その信号に基づいてシャッタ３７が制御される。それと共に、シャッタ駆動制御回路５７から、所定のタイミングでＢμｃｏｍ５０にストロボを発光させるためのストロボ同調信号が出力される。そして、Ｂμｃｏｍ５０からは、このストロボ同調信号に基づいて、ストロボ制御回路６１を介してストロボ装置６２を発光させる発光指令信号が出力される。
【００７２】
また、上記シャッタ３７が制御されるのと同じくして、ミラー駆動機構５４によってクイックリターンミラー３１の動作が制御される。更に、操作レバー９０が操作されることによって、第４ミラー７５の位置が決定される。
【００７３】
このように、第１の実施形態によれば、操作レバー９０を操作することによって第４ミラー７５を移動させてアイピース枠８１を塞ぐようにしたので、撮影時にアイピース３３よりカメラのボディユニット３０内に入射する光束を確実に防止することができる。また、アイピースシャッタ自体もコンパクトに構成することができる。
【００７４】
加えて、クイックリターンミラー、ハーフミラーの全面を利用して測距用光束を導くので、測距可能な視野範囲を広くすることが容易であるという利点もある。
【００７５】
更に、本実施形態では、ファインダ光学系を、ハーフミラー７１及びスクリーン７２と、クイックリターンミラー３１、第２ミラー７３、第３ミラー７４及び第４ミラー７５の４つのミラーで構成しているが、これに限られるものではない。
【００７６】
また、アイピースシャッタの開閉を操作レバーにより行う構成としたが、クイックリターンミラーの駆動機構と協調連動して駆動させてもよい。
【００７７】
（第２の実施形態）
次に、本発明の第２の実施形態を説明する。
【００７８】
図７及び図８は、第２の実施形態に於いてファインダ観察状態であってファインダ光学系及び閃光発光装置の主要構成部材をカメラボディに組み込んだ状態の配置を示したもので、図７は撮影レンズ側から見た正面図、図８はカメラボディの上面側より見た図である。
【００７９】
上述した第１の実施形態では第４ミラー７５を回動可能なミラーとしたが、この第２の実施形態では、第４ミラー７５を固定とし、第３ミラー７４を回動可能なミラーとした点が異なっている。
【００８０】
以下、この第２の実施形態について説明するが、第４ミラーを固定にし、第３ミラーを回動可能とした以外のファインダ光学系及びＡＦセンサユニット３５の主要構成部材の構成については、図１乃至図６に示される第１の実施形態の構成と同じであり、基本的な撮影動作についても同様である。したがって、これらの構成及び動作については、同一の部分には同一の参照番号を付して、その図示及び説明は省略する。
【００８１】
図７及び図８に於いて、第３ミラー７４は、図示矢印Ｄ方向に回動可能に配設されている。この第３ミラー７４は、被写体観察時には、図７及び図８に於いて実線で示される位置に配置されており、第２ミラー７３で反射されてきた光束が、ここで略直角に反射されて第４ミラー７５に導かれるようになっている。また、撮影時には、図７及び図８に於いて二点鎖線で示される位置に配置される。これにより、アイピース３３から第４ミラー７５を介して入射される光束は、第３ミラー７４の位置で遮られる。
【００８２】
このように、第２の実施形態によれば、第４ミラー７５を固定とし、第３ミラー７４を回動可能として配設したのでの、上述した第１の実施形態と同様の効果を得ることができる。
【００８３】
尚、上述した第１、第２の実施形態では、第４ミラー７５、第３ミラー７４を回動可能なミラーとしてアイピースシャッタを構成した例について説明したが、これに限られるものではなく、観察光学系の光路中であれば、第２ミラー７３を回動可能なミラーとしてアイピースシャッタを構成することも勿論可能である。
【００８４】
以上のように、３箇所のミラーの何れを可動式にすることによっても効果を得ることができるので、カメラの他の構成要件に合わせて、最適な可動ミラーを選択して構成することが可能である。例えば、操作レバーをカメラの上面に設けたければ、上述した第１の実施形態のように第４ミラーを可動とすればよい。
【００８５】
更に、上述した実施形態ではデジタルカメラを例として説明したが、これに限られるものではなく、フィルム使用の一眼レフカメラにも適用可能である。
【００８６】
以上、本発明の実施形態について説明したが、本発明は上述した実施形態以外にも、本発明の要旨を逸脱しない範囲で種々の変形実施が可能である。
【図面の簡単な説明】
【００８７】
【図１】本発明の第１の実施形態に係るカメラのシステム構成を示すブロック図である。
【図２】本発明の第１の実施形態に於いてファインダ観察状態であってファインダ光学系及び閃光発光装置の主要構成部材をカメラボディに組み込んだ状態の配置を示したもので、撮影レンズ側から見た正面図である。
【図３】本発明の第１の実施形態に於いてファインダ観察状態であってファインダ光学系及び閃光発光装置の主要構成部材をカメラボディに組み込んだ状態の配置を示したもので、カメラボディの上面側より見た図である。
【図４】被写体観察時のアイピースシャッタを開いた状態に於ける第４ミラー７５の駆動機構を示す斜視図である。
【図５】アイピースシャッタを閉じた状態に於ける第４ミラー７５の駆動機構を示す斜視図である。
【図６】第１の実施形態に於けるアイピースシャッタの操作レバーを示した図である。
【図７】本発明の第２の実施形態に於いてファインダ観察状態であってファインダ光学系及び閃光発光装置の主要構成部材をカメラボディに組み込んだ状態の配置を示したもので、撮影レンズ側から見た正面図である。
【図８】本発明の第２の実施形態に於いてファインダ観察状態であってファインダ光学系及び閃光発光装置の主要構成部材をカメラボディに組み込んだ状態の配置を示したもので、カメラボディの上面側より見た図である。
【符号の説明】
【００８８】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー（第１ミラー）、３３…接眼レンズ（アイピース）、３５…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ装置、６３…動作表示用ＬＣＤ、６４…カメラ操作スイッチ（ＳＷ）、６５…電源回路、７１…ハーフミラー、７２…スクリーン、７３…第２ミラー、７４…第３ミラー、７５…第４ミラー、８１…アイピース枠、８２…回転軸、８３…バネ（トグルバネ）、９０…操作レバー。
【図１】
2006038946.tif 000003
【図２】
2006038946.tif 000004
【図３】
2006038946.tif 000005
【図４】
2006038946.tif 000006
【図５】
2006038946.tif 000007
【図６】
2006038946.tif 000008
【図７】
2006038946.tif 000009
【図８】
2006038946.tif 000010